(57)【要約】【課題】本発明は、バックライトモジュール及び前記バックライトモジュールを用いた液晶表示モジュールを提供する。【解決手段】本発明のバックライトモジュールは、バックパネルと、バックパネル内に取付けられたバックライトと、バックパネル内に取付けられた導光板とからなる。前記バックパネルは、底板と、底板と垂直に接続された複数個の側板とからなる。前記バックライトは、電子回路基板と、電子回路基板と電気的に接続されて取付けられた複数個のＬＥＤライトとからなる。前記電子回路基板は、前記底板上に取付けられる。前記ＬＥＤライトは、導光板の一側に位置する。前記電子回路基板における底板の方を向いた表面には、第一斜面が設けられる。電子回路基板と底板の間には放熱部品が設けられ、前記放熱部品は第一斜面と対応し合う第二斜面を有する。【選択図】図３
2016538688.tif 000002
【特許請求の範囲】
【請求項１】
バックパネルと、前記バックパネル内に取付けられたバックライトと、前記バックパネル内に取付けられた導光板とからなる、バックライトモジュールであって、
前記バックパネルは、底板と、前記底板と垂直に接続された複数個の側板とからなり、
前記バックライトは、電子回路基板と、前記電子回路基板と電気的に接続されて取付けられた複数個のＬＥＤライトとからなり、
前記電子回路基板は、前記底板上に取付けられ、
前記ＬＥＤライトは、前記導光板の一側に位置し、
前記電子回路基板における前記底板の方を向いた表面には、第一斜面が設けられ、
前記電子回路基板と底板の間には、放熱部品が設けられるとともに、前記放熱部品は前記第一斜面と対応し合う第二斜面を有し、
前記第一斜面と第二斜面が貼合されることにより、前記電子回路基板と放熱部品は組合されて平板状構造を形成し、
前記導光板は、前記平板状構造の上に設けられることを特徴とする、バックライトモジュール。
【請求項２】
更に、前記放熱部品は、アルミニウムによって製作されることを特徴とする、請求項１に記載のバックライトモジュール。
【請求項３】
更に、前記バックライトモジュールには、前記底板と導光板の間に位置する反射板、及び前記導光板上方に位置する光学フィルムが設けられることを特徴とする、請求項１に記載のバックライトモジュール。
【請求項４】
更に、前記導光板は、前記底板の方を向いた底面と、前記底面と相対して設けられた頂面と、前記底面と頂面の間に設けられた複数個の側面とからなり、
前記複数個の側面は、少なくとも一つの入光面からなり、
前記ＬＥＤライトは、前記入光面の側方に設けられることを特徴とする、請求項１に記載のバックライトモジュール。
【請求項５】
バックライトモジュールと、前記バックライトモジュール上に設けられた樹脂フレームと、前記樹脂フレーム上に設けられた液晶表示パネルとからなる、液晶表示モジュールであって、
前記バックライトモジュールは、バックパネルと、前記バックパネル内に取付けられたバックライトと、前記バックパネル内に取付けられた導光板とからなり、
前記バックパネルは、底板と、前記底板と垂直に接続された複数個の側板とからなり、
前記バックライトは、電子回路基板と、前記電子回路基板と電気的に接続されて取付けられた複数個のＬＥＤライトとからなり、
前記電子回路基板は、前記底板上に取付けられ、
前記ＬＥＤライトは、前記導光板の一側に位置し、
前記電子回路基板における前記底板の方を向いた表面には、第一斜面が設けられ、
前記電子回路基板と底板の間には、放熱部品が設けられるとともに、前記放熱部品は前記第一斜面と対応し合う第二斜面を有し、
前記第一斜面と第二斜面が貼合されることにより、前記電子回路基板と放熱部品は組合されて平板状構造を形成し、
前記導光板は、前記平板状構造の上に設けられることを特徴とする、液晶表示モジュール。
【請求項６】
更に、前記放熱部品は、アルミニウムによって製作されることを特徴とする、請求項５に記載の液晶表示モジュール。
【請求項７】
更に、前記バックライトモジュールには、前記底板と導光板の間に位置する反射板、及び前記導光板上方に位置する光学フィルムが設けられることを特徴とする、請求項５に記載の液晶表示モジュール。
【請求項８】
更に、前記導光板は、前記底板の方を向いた底面と、前記底面と相対して設けられた頂面と、前記底面と頂面の間に設けられた複数個の側面とからなり、
前記複数個の側面は、少なくとも一つの入光面からなり、
前記ＬＥＤライトは、前記入光面の側方に設けられることを特徴とする、請求項５に記載の液晶表示モジュール。
【請求項９】
更に、前記液晶表示パネルは、ＴＦＴ基板と、前記ＴＦＴ基板と相対して貼合されたＣＦ基板と、前記ＴＦＴ基板とＣＦ基板の間に設けられた液晶層とからなることを特徴とする、請求項５に記載の液晶表示モジュール。
【請求項１０】
更に、前記ＴＦＴ基板は、第一基板と、前記第一基板一側に形成された薄膜トランジスタと、前記第一基板他側に形成された第一偏光板とからなり、
前記ＣＦ基板は、第二基板と、前記第二基板一側に形成されたカラーフィルタと、前記第二基板他側に形成された第二偏光板とからなることを特徴とする、請求項９に記載の液晶表示モジュール。
【請求項１１】
バックライトモジュールと、前記バックライトモジュール上に設けられた樹脂フレームと、前記樹脂フレーム上に設けられた液晶表示パネルとからなる、液晶表示モジュールであって、
前記バックライトモジュールは、バックパネルと、前記バックパネル内に取付けられたバックライトと、前記バックパネル内に取付けられた導光板とからなり、
前記バックパネルは、底板と、前記底板と垂直に接続された複数個の側板とからなり、
前記バックライトは、電子回路基板と、前記電子回路基板と電気的に接続されて取付けられた複数個のＬＥＤライトとからなり、
前記電子回路基板は、前記底板上に取付けられ、
前記ＬＥＤライトは、前記導光板の一側に位置し、
前記電子回路基板における前記底板の方を向いた表面には、第一斜面が設けられ、
前記電子回路基板と底板の間には、放熱部品が設けられるとともに、前記放熱部品は前記第一斜面と対応し合う第二斜面を有し、
前記第一斜面と第二斜面が貼合されることにより、前記電子回路基板と放熱部品は組合されて平板状構造を形成し、
前記導光板は、前記平板状構造の上に設けられ、
このうち前記放熱部品は、アルミニウムによって製作されることを特徴とする、液晶表示モジュール。
【請求項１２】
更に、前記バックライトモジュールには、前記底板と導光板の間に位置する反射板、及び前記導光板上方に位置する光学フィルムが設けられることを特徴とする、請求項１１に記載の液晶表示モジュール。
【請求項１３】
更に、前記導光板は、前記底板の方を向いた底面と、前記底面と相対して設けられた頂面と、前記底面と頂面の間に設けられた複数個の側面とからなり、
前記複数個の側面は、少なくとも一つの入光面からなり、
前記ＬＥＤライトは、前記入光面の側方に設けられることを特徴とする、請求項１１に記載の液晶表示モジュール。
【請求項１４】
更に、前記液晶表示パネルは、ＴＦＴ基板と、前記ＴＦＴ基板と相対して貼合されたＣＦ基板と、前記ＴＦＴ基板とＣＦ基板の間に設けられた液晶層とからなることを特徴とする、請求項１１に記載の液晶表示モジュール。
【請求項１５】
更に、前記ＴＦＴ基板は、第一基板と、前記第一基板一側に形成された薄膜トランジスタと、前記第一基板他側に形成された第一偏光板とからなり、
前記ＣＦ基板は、第二基板と、前記第二基板一側に形成されたカラーフィルタと、前記第二基板他側に形成された第二偏光板とからなることを特徴とする、請求項１４に記載の液晶表示モジュール。
【発明の詳細な説明】
【技術分野】
【０００１】
本発明は、平面表示技術に関し、特に、バックライトモジュール及び前記バックライトモジュールを用いた液晶表示モジュールに関する。
【背景技術】
【０００２】
液晶ディスプレイ（Ｌｉｑｕｉｄ  Ｃｒｙｓｔａｌ  Ｄｉｓｐｌａｙ、ＬＣＤ）は、薄型ボディ・省エネ・放射線が無い等の多くの長所を備えており、携帯電話・個人用携帯情報端末（ＰＤＡ）・デジタルカメラ・コンピューターのモニター・ノート型パソコンのモニター等に幅広く応用されている。
【０００３】
現在の市場にある液晶ディスプレイの多くは、バックライト方式の液晶ディスプレイであり、ケース体と、ケース体内に設けられた液晶パネルと、ケース体内に設けられたバックライトモジュール（Ｂａｃｋｌｉｇｈｔ  ｍｏｄｕｌｅ）とからなる。従来の液晶パネルの構造は、カラーフィルタ基板（Ｃｏｌｏｒ  Ｆｉｌｔｅｒ）と、ＴＦＴアレイ基板（Ｔｈｉｎ  Ｆｉｌｍ  Ｔｒａｎｓｉｓｔｏｒ  Ａｒｒａｙ  Ｓｕｂｓｔｒａｔｅ、ＴＦＴ  Ａｒｒａｙ  Ｓｕｂｓｔｒａｔｅ）と、二つの基板の間に設けられた液晶層（Ｌｉｑｕｉｄ  Ｃｒｙｓｔａｌ  Ｌａｙｅｒ）とからなるとともに、その動作原理は、二枚のガラス基板上に駆動電圧が印加されて液晶層の液晶分子の回転を制御することにより、バックライトモジュールの光線が屈折照射されて画面を生成するというものである。液晶パネル自体は発光しないため、バックライトモジュールが提供する光源を利用して映像表示を行う必要がある。よって、バックライトモジュールは液晶ディスプレイにおいて要となる構成部品の一つである。バックライトモジュールは、光源の入射位置の違いによって、エッジライト方式バックライトモジュールと直下型方式バックライトモジュールの二種に分けられる。直下型方式バックライトモジュールは、例えば冷陰極蛍光管（Ｃｏｌｄ  Ｃａｔｈｏｄｅ  Ｆｌｕｏｒｅｓｃｅｎｔ  Ｌａｍｐ、ＣＣＦＬ）や発光ダイオード（Ｌｉｇｈｔ  Ｅｍｉｔｔｉｎｇ  Ｄｉｏｄｅ、ＬＥＤ）といった発光源が液晶パネルの後方に設けられて、直接面光源を形成して液晶パネルに提供する。またエッジライト方式バックライトモジュールは、バックライトのＬＥＤライトバー（Ｌｉｇｈｔ  ｂａｒ）が液晶パネルの後側方にあるバックパネル辺縁部分に設けられるとともに、ＬＥＤライトバーから発される光線が導光板（Ｌｉｇｈｔ  Ｇｕｉｄｅ  Ｐｌａｔｅ、ＬＧＰ）一側の入光面から導光板に入って反射・拡散した後に導光板の出光面から照射され、更に光学フィルムを経由することで、面光源を形成して液晶パネルに提供する。
【０００４】
図１を参照する。エッジライト方式バックライトモジュールは、バックパネル１００と、バックパネル１００内に設けられた反射板２００と、反射板２００上に設けられた導光板３００と、バックパネル１００内に設けられたバックライト４００と、バックライト４００とバックパネル１００の間に設けられた放熱部品５００とからなる。バックパネル１００は、底板１０２と、底板１０２と接続された側板１０４とからなる。バックライト４００は放熱性接合剤（図示せず）によって放熱部品５００上に取付けられる。放熱部品５００は、一般的にアルミニウム板・銅板、或はグラファイトシートであるとともに、ネジによってバックパネル１００の底板１０２上に固定される。バックライト４００から発される熱エネルギーは、放熱部品５００を通してバックパネル１００の底板１０２に伝わるとともに、バックパネル１００を通して外部の空気と熱交換されて放熱される。しかし、放熱性接合剤の熱伝導率は高くないため、バックライトモジュールの放熱効果も良好とは言えず、バックライトモジュールの品質に影響を与えてしまう。
【０００５】
上述した問題の解決、及び平面ディスプレイの狭額縁化の実現のために、現在あるエッジライト方式バックライトモジュールの一種では、ＬＥＤパッケージがフラットパネルの基板上に直接実装されている（図２参照）。ＬＥＤパッケージはＰＣＢ基板７００上に垂直に実装され、これにより液晶ディスプレイの上部フレームの枠縁がより幅狭となるように設けられる。加えて、ＰＣＢ基板７００下方には更に放熱板９００が設けられて、ＰＣＢモジュールから生じた熱エネルギーが即時的に放熱されることにより、液晶パネルがクリアな画像を表示するように品質保証する。
【０００６】
しかし、ＰＣＢ基板７００下方に放熱板９００が設けられることで液晶ディスプレイ全体の厚さが増してしまうことは間違いなく、液晶ディスプレイにおける薄型化の傾向に逆行している。よって、これを改善する必要性がある。
【発明の概要】
【発明が解決しようとする課題】
【０００７】
よって本発明は、厚さが薄く、狭額縁化に有利で、且つ放熱効果に優れた、バックライトモジュールを提供することを目的とする。
【０００８】
また本発明は、厚さが薄く、フレームが幅狭であるとともに、放熱効果に優れ、且つ高品質な、液晶表示モジュールを提供することを目的とする。
【課題を解決するための手段】
【０００９】
上述の目的を達成するために、本発明のバックライトモジュールは、バックパネルと、バックパネル内に取付けられたバックライトと、バックパネル内に取付けられた導光板とからなる。前記バックパネルは、底板と、底板と垂直に接続された複数個の側板とからなる。前記バックライトは、電子回路基板と、電子回路基板と電気的に接続されて取付けられた複数個のＬＥＤライトとからなる。前記電子回路基板は、前記底板上に取付けられる。前記ＬＥＤライトは、導光板の一側に位置する。前記電子回路基板における底板の方を向いた表面には、第一斜面が設けられる。また放熱部品が電子回路基板と底板の間に設けられるとともに、前記放熱部品は第一斜面と対応し合う第二斜面を有する。前記第一斜面と第二斜面が貼合されることにより、前記電子回路基板と放熱部品は組合されて平板状構造を形成する。前記導光板は、前記平板状構造の上に設けられる。
【００１０】
前記放熱部品は、アルミニウムによって製作される。
【００１１】
更に、底板と導光板の間に位置する反射板、及び導光板上方に位置する光学フィルムが設けられる。
【００１２】
前記導光板は、底板の方を向いた底面と、底面と相対して設けられた頂面と、底面と頂面の間に設けられた複数個の側面とからなる。前記複数個の側面は、少なくとも一つの入光面からなり、前記ＬＥＤライトは前記入光面の側方に設けられる。
【００１３】
また、本発明が提供する液晶表示モジュールは、バックライトモジュールと、バックライトモジュール上に設けられた樹脂フレームと、樹脂フレーム上に設けられた液晶表示パネルとからなる。前記バックライトモジュールは、バックパネルと、バックパネル内に取付けられたバックライトと、バックパネル内に取付けられた導光板とからなる。前記バックパネルは、底板と、底板と垂直に接続された複数個の側板とからなる。前記バックライトは、電子回路基板と、電子回路基板と電気的に接続されて取付けられた複数個のＬＥＤライトとからなる。前記電子回路基板は、前記底板上に取付けられる。前記ＬＥＤライトは、導光板の一側に位置する。前記電子回路基板における底板の方を向いた表面には、第一斜面が設けられる。また放熱部品が電子回路基板と底板の間に設けられるとともに、前記放熱部品は第一斜面と対応し合う第二斜面を有する。前記第一斜面と第二斜面が貼合されることにより、前記電子回路基板と放熱部品は組合されて平板状構造を形成する。前記導光板は、前記平板状構造の上に設けられる。
【００１４】
前記放熱部品は、アルミニウムによって製作される。
【００１５】
前記バックライトモジュールには、更に、底板と導光板の間に位置する反射板、及び導光板上方に位置する光学フィルムが設けられる。
【００１６】
前記導光板は、底板の方を向いた底面と、底面と相対して設けられた頂面と、底面と頂面の間に設けられた複数個の側面とからなる。前記複数個の側面は、少なくとも一つの入光面からなり、前記ＬＥＤライトは前記入光面の側方に設けられる。
【００１７】
前記液晶表示パネルは、ＴＦＴ基板と、ＴＦＴ基板と相対して貼合されたＣＦ基板と、ＴＦＴ基板とＣＦ基板の間に設けられた液晶層とからなる。
【００１８】
前記ＴＦＴ基板は、第一基板と、第一基板一側に形成された薄膜トランジスタと、第一基板他側に形成された第一偏光板とからなる。前記ＣＦ基板は、第二基板と、第二基板一側に形成されたカラーフィルタと、第二基板他側に形成された第二偏光板とからなる。
【００１９】
また更に、本発明が提供する液晶表示モジュールは、バックライトモジュールと、バックライトモジュール上に設けられた樹脂フレームと、樹脂フレーム上に設けられた液晶表示パネルとからなる。前記バックライトモジュールは、バックパネルと、バックパネル内に取付けられたバックライトと、バックパネル内に取付けられた導光板とからなる。前記バックパネルは、底板と、底板と垂直に接続された複数個の側板とからなる。前記バックライトは、電子回路基板と、電子回路基板と電気的に接続されて取付けられた複数個のＬＥＤライトとからなる。前記電子回路基板は、前記底板上に取付けられる。前記ＬＥＤライトは、導光板の一側に位置する。前記電子回路基板における底板の方を向いた表面には、第一斜面が設けられる。また放熱部品が電子回路基板と底板の間に設けられるとともに、前記放熱部品は第一斜面と対応し合う第二斜面を有する。前記第一斜面と第二斜面が貼合されることにより、前記電子回路基板と放熱部品は組合されて平板状構造を形成する。前記導光板は、前記平板状構造の上に設けられる。
【００２０】
このうち、前記放熱部品は、アルミニウムによって製作される。
【００２１】
前記バックライトモジュールには、更に、底板と導光板の間に位置する反射板、及び導光板上方に位置する光学フィルムが設けられる。
【００２２】
前記導光板は、底板の方を向いた底面と、底面と相対して設けられた頂面と、底面と頂面の間に設けられた複数個の側面とからなる。前記複数個の側面は、少なくとも一つの入光面からなり、前記ＬＥＤライトは前記入光面の側方に設けられる。
【００２３】
前記液晶表示パネルは、ＴＦＴ基板と、ＴＦＴ基板と相対して貼合されたＣＦ基板と、ＴＦＴ基板とＣＦ基板の間に設けられた液晶層とからなる。
【００２４】
前記ＴＦＴ基板は、第一基板と、第一基板一側に形成された薄膜トランジスタと、第一基板他側に形成された第一偏光板とからなる。前記ＣＦ基板は、第二基板と、第二基板一側に形成されたカラーフィルタと、第二基板他側に形成された第二偏光板とからなる。
【発明の効果】
【００２５】
以上の構造によってなる本発明は、以下の有益な効果を備える。即ち、本発明のバックライトモジュール及び前記バックライトモジュールを用いた液晶表示モジュールにおいて、バックライトの電子回路基板上には第一斜面が設けられるとともに、放熱部品上には第一斜面と対応し合う第二斜面が設けられ、且つ前記第一斜面と第二斜面が互いに貼合されることにより、電子回路基板と放熱部品が組合されて平板状構造を形成し、更に導光板は前記平板状構造の上に直接設けられ、以上の構造により、バックライトモジュール全体の厚さを減少させると同時に、電子回路基板と放熱部品の接触面積を増大させて、放熱効果を向上させることが出来る。また電子回路基板がバックパネルの底板上に取付けられることにより、導光板とバックパネル側板の間の距離を効果的に縮めて、狭額縁化の実現を利することが出来る。
【００２６】
本発明の特徴と技術内容の詳細については、以下の詳説と図を参照されたい。尚、図はあくまで参考及び説明用であり、これにより本発明を制限するものではない。
下記の図を合わせて本発明の具体的実施形態について詳細に説明することで、本発明の技術手法及びその他の有益な効果を詳らかにする。
【図面の簡単な説明】
【００２７】
【図１】従来のバックライトモジュールの構造を示した概略図である。
【図２】従来のもう一つのバックライトモジュールの構造を示した概略図である。
【図３】本発明のバックライトモジュールの構造を示した概略図である。
【図４】本発明の液晶表示モジュールの構造を示した概略図である。
【図５】図４における液晶表示パネルの構造を示した概略図である。
【発明を実施するための形態】
【００２８】
本発明の技術手法とその効果について詳述するために、以下で本発明の実施例と図を参照しつつ説明する。
【００２９】
（実施例１）
図３を参照する。本発明が提供するバックライトモジュールは、バックパネル２と、バックパネル２内に取付けられたバックライト４と、バックパネル２内に取付けられた導光板６とからなる。バックパネル２は、底板２２と、底板２２と垂直に接続された複数個の側板２４とからなる。バックライト４は、電子回路基板４２と、電子回路基板４２と電気的に接続されて取付けられた複数個のＬＥＤライト４４とからなる。電子回路基板４２は、底板２２上に取付けられる。ＬＥＤライト４４は、導光板６の一側に位置する。電子回路基板４２における底板２２の方を向いた表面には、第一斜面４２２が設けられる。放熱部品８は、電子回路基板４２と底板２２の間に設けられるとともに、放熱部品８は第一斜面４２２と対応し合う第二斜面８２を有する。第一斜面４２２と第二斜面８２が貼合されることにより、電子回路基板４２と放熱部品８は組合されて平板状構造を形成する。導光板６は、前記平板状構造の上に設けられる。以上の構造により、バックライトモジュール全体の厚さを減少させると同時に、電子回路基板４２と放熱部品８の接触面積を増大させて、放熱効果を向上させることが出来る。加えて、本実施例において、放熱部品８は熱伝導性の高いアルミニウムによって製作され、これにより更に放熱効果を高めて、バックライトモジュールの品質を向上させることが出来る。
【００３０】
導光板６は、底板２２の方を向いた底面６２と、底面６２と相対して設けられた頂面６４と、底面６２と頂面６４の間に設けられた複数個の側面とからなる。前記複数個の側面は、少なくとも一つの入光面６６からなり、ＬＥＤライト４４は入光面６６側方に設けられる。これにより、エッジライト方式バックライトモジュールが形成される。更に前記エッジライト方式バックライトモジュールにおいて、電子回路基板４２はバックパネル２の底板２２上に取付けられているため、導光板６とバックパネル２の側板２４との間における距離を効果的に縮めて、狭額縁化の実現を利することが出来る。
【００３１】
特筆すべき点を以下に述べる。本発明のバックライトモジュールには、更に底板２２と導光板６の間に位置する反射板９、及び導光板６上方に位置する光学フィルム１０が設けられる。反射板９は、バックライト４から発せられた光線を反射するために用いられ、これによりバックライトモジュールの光度が増強される。また光学フィルム１０は、導光板６から照射される光線を均一化させるために用いられ、これによりバックライトモジュールの品質が向上する。
【００３２】
（実施例２）
図４と図５、及び図３を合せて参照する。本発明が提供する液晶表示モジュールは、バックライトモジュールと、バックライトモジュール上に設けられた樹脂フレーム２０と、樹脂フレーム２０上に設けられた液晶表示パネル４０とからなる。
【００３３】
前記バックライトモジュールは、バックパネル２と、バックパネル２内に取付けられたバックライト４と、バックパネル２内に取付けられた導光板６とからなる。バックパネル２は、底板２２と、底板２２と垂直に接続された複数個の側板２４とからなる。バックライト４は、電子回路基板４２と、電子回路基板４２と電気的に接続されて取付けられた複数個のＬＥＤライト４４とからなる。電子回路基板４２は、底板２２上に取付けられる。ＬＥＤライト４４は、導光板６の一側に位置する。電子回路基板４２における底板２２の方を向いた表面には、第一斜面４２２が設けられる。放熱部品８は、電子回路基板４２と底板２２の間に設けられるとともに、放熱部品８は第一斜面４２２と対応し合う第二斜面８２を有する。第一斜面４２２と第二斜面８２が貼合されることにより、電子回路基板４２と放熱部品８は組合されて平板状構造を形成する。導光板６は、前記平板状構造の上に設けられる。以上の構造により、バックライトモジュール全体の厚さを減少させると同時に、電子回路基板４２と放熱部品８の接触面積を増大させて、放熱効果を向上させることが出来る。加えて、本実施例において、放熱部品８は熱伝導性の高いアルミニウムによって製作され、これにより更に放熱効果を高めて、バックライトモジュールの品質を向上させることが出来る。
【００３４】
導光板６は、底板２２の方を向いた底面６２と、底面６２と相対して設けられた頂面６４と、底面６２と頂面６４の間に設けられた複数個の側面とからなる。前記複数個の側面は、少なくとも一つの入光面６６からなり、ＬＥＤライト４４は入光面６６側方に設けられる。これにより、エッジライト方式バックライトモジュールが形成される。更に前記エッジライト方式バックライトモジュールにおいて、電子回路基板４２はバックパネル２の底板２２上に取付けられているため、導光板６とバックパネル２の側板２４との間における距離を効果的に縮めて、狭額縁化の実現を利することが出来る。
【００３５】
図５を参照する。液晶表示パネル４０は、ＴＦＴ基板４０２と、ＴＦＴ基板４０２と相対して貼合されたＣＦ基板４０４と、ＴＦＴ基板４０２とＣＦ基板４０４の間に設けられた液晶層４０６とからなる。ＴＦＴ基板４０２は、液晶層４０６中の液晶分子を駆動して捩れを生じさせるために用いられ、これにより光線に対する選択性を実現する。またＣＦ基板４０４は、カラー表示を行うために用いられる。
【００３６】
更に、ＴＦＴ基板４０２は、第一基板４２１と、第一基板４２１一側に形成された薄膜トランジスタ４２３と、第一基板４２１他側に形成された第一偏光板４２５とからなる。またＣＦ基板４０４は、第二基板４４１と、第二基板４４１一側に形成されたカラーフィルタ４４３と、第二基板４４１他側に形成された第二偏光板４４５とからなる。
【００３７】
ここで特筆すべき点を以下に述べる。本発明のバックライトモジュールには、更に底板２２と導光板６の間に位置する反射板９、及び導光板６上方に位置する光学フィルム１０が設けられる。反射板９は、バックライト４から発せられた光線を反射するために用いられ、これによりバックライトモジュールの光度が増強される。また光学フィルム１０は、導光板６から照射される光線を均一化させるために用いられ、これによりバックライトモジュールの品質が向上する。
【００３８】
上述を総じて言えば、本発明のバックライトモジュール及び前記バックライトモジュールを用いた液晶表示モジュールにおいて、バックライトの電子回路基板上には第一斜面が設けられるとともに、放熱部品上には第一斜面と対応し合う第二斜面が設けられ、且つ前記第一斜面と第二斜面が互いに貼合されることにより、電子回路基板と放熱部品が組合されて平板状構造を形成し、更に導光板は前記平板状構造の上に直接設けられ、以上の構造により、バックライトモジュール全体の厚さを減少させると同時に、電子回路基板と放熱部品の接触面積を増大させて、放熱効果を向上させることが出来る。また電子回路基板がバックパネルの底板上に取付けられることにより、導光板とバックパネル側板の間の距離を効果的に縮めて、狭額縁化の実現を利することが出来る。
【００３９】
以上の記述により、関連領域の一般的な技術員は、本発明の技術手法と構想に基づいて各種の変更と変形を加えることが可能であり、これらの変更と変形は、いずれも本発明の権利要求の保護範囲に属する。
【符号の説明】
【００４０】
（従來技術）
１００ バックパネル
１０２ 底板
１０４ 側板
２００ 反射板
３００ 導光板
４００ バックライト
５００ 放熱部品
７００ ＰＣＢ基板
９００ 放熱板
（本発明）
１０   光学フィルム
２     バックパネル
２０   樹脂フレーム
２２   底板
２４   側板
４     バックライト
４０   液晶表示パネル
４０２ ＴＦＴ基板
４０４ ＣＦ基板
４０６ 液晶層
４２   電子回路基板
４２１ 第一基板
４２２ 第一斜面
４２３ 薄膜トランジスタ
４２５ 第一偏光板
４４   ＬＥＤライト
４４１ 第二基板
４４３ カラーフィルタ
４４５ 第二偏光板
６     導光板
６２   底面
６４   頂面
６６   入光面
８     放熱部品
８２   第二斜面
９     反射板
【図１】
2016538688.tif 000003
【図２】
2016538688.tif 000004
【図３】
2016538688.tif 000005
【図４】
2016538688.tif 000006
【図５】
2016538688.tif 000007
【国際調査報告】
2016538688.tif 000008
2016538688.tif 000009
2016538688.tif 000010
2016538688.tif 000011